(57)【要約】【課題】電子的なしおりの機能を備えたコンテンツ閲覧システムを提供する。【解決手段】ユーザ５が所持する非接触ＩＣカード３には、少なくともユーザ５の身体状況を示す身体情報３１と、ユーザ５がコンテンツ１２０をどこまで閲覧したかを示すしおり情報３０とが記憶されている。ユーザ５がコンテンツ１２０を閲覧するときは、閲覧端末２は非接触ＩＣカード３に記憶された身体情報３１としおり情報３０とを読取り、閲覧端末２は、身体情報３１から選択される再生手段で、しおり情報３０で示される箇所からコンテンツ１２０を再生する。【選択図】図２
2007148603.tif 000002
【特許請求の範囲】
【請求項１】
ユーザが書籍などの内容が電子化されたコンテンツを閲覧するときに利用するコンテンツ閲覧システムであって、前記コンテンツ閲覧システムは、書籍などの内容を電子化したコンテンツを記憶するコンテンツデータベースと、前記コンテンツデータに記憶されたコンテンツをユーザに提供する閲覧端末とから、少なくも構成され、
前記閲覧端末は、ユーザが所持する情報記憶媒体とデータ通信する手段を備え、ユーザがコンテンツの閲覧を中断するときは、ユーザが閲覧しているコンテンツを示すコンテンツ識別情報と、ユーザがコンテンツを閲覧したところまでを示す閲覧情報とを含むしおり情報を前記情報記憶媒体に記憶し、
ユーザがコンテンツの回覧の閲覧を再開するときは、前記情報記憶媒体から前記しおり情報を読取り、前記しおり情報に含まれる前記コンテンツ識別情報で示されるコンテンツを前記コンテンツデータベースから取得し、前記閲覧情報で示されるところからコンテンツを再生する電子しおり手段を備えていることを特徴とするコンテンツ閲覧システム。
【請求項２】
請求項１に記載のコンテンツ閲覧システムにおいて、前記コンテンツデータベースに記憶されるコンテンツはマルチメディアデータであって、
前記閲覧端末は、マルチメディアデータに対応した複数のコンテンツ再生手段を備え、前記情報記憶媒体には、ユーザの身体的な状況を表す身体情報が記憶され、
前記閲覧端末は、コンテンツを再生するときに、前記情報記憶媒体から前記身体情報を読取り、前記身体情報に適合した前記コンテンツ再生手段を選択して、前記コンテンツデータベースから取得したコンテンツを再生することを特徴とするコンテンツ閲覧システム。
【請求項３】
請求項２に記載のコンテンツ閲覧システムであって、前記閲覧端末は前記コンテンツ再生手段として、少なくとも、コンテンツを音声で再生する音声再生手段を備えていることを特徴とするコンテンツ閲覧システム。
【請求項４】
請求項１から請求項３のいずれかに記載のコンテンツ閲覧システムであって、前記閲覧端末は、ユーザがコンテンツの閲覧を中断するときに、ユーザによって操作される操作ボタンを備え、前記電子しおり手段は、前記操作ボタンが押されたときに、前記情報記憶媒体に前記しおり情報を記憶することを特徴とするコンテンツ閲覧システム。
【請求項５】
請求項１から請求項４のいずれかに記載のコンテンツ閲覧システムであって、ユーザが所持する前記情報記憶媒体は非接触ＩＣカードであることを特徴とするコンテンツ閲覧システム。
【発明の詳細な説明】
【技術分野】
【０００１】
本発明は、ユーザが、図書館などで書籍の内容を電子化したコンテンツを閲覧するときに利用するコンテンツ閲覧システムに関し、更に詳しくは、書籍に挟んで利用するしおりの機能を備えたコンテンツ閲覧システムに関する。
【背景技術】
【０００２】
ユニバーサルデザイン（Universal Design）に代表されるように、近年、身体に障害のある方が、健常である方と同様に自立して暮らせるような生活環境作りが注目を集めている。
【０００３】
テレビや映画を健常者の方と同じように楽しむことができない視覚障害者の方にとって、音声による読書での情報収集は大きな意味をもち、従来は視覚障害者の方に対して、カセットテープやＣＤに録音された図書(録音図書)を販売や貸し出していたが、インターネットなどのネットワークを利用し、地域的な制限を受けることなく、点字打刻、音声変換、拡大文字表示等で情報を提供するシステムが開発されている（例えば、特許文献１）。
【特許文献１】特開２００２−３２０１３号公報
【０００４】
しかしながら、これまでは、健常者の方が本を読むときに利用するしおり（Ｂｏｏｋｍａｒｋ）に該当する機能をシステム側が備えておらず、視覚障害者が、音声情報などのコンテンツを途中再開するときは大変不便であった。
特に、ネットワーク上の仮想図書館も含め、書籍が電子化されたコンテンツを提供する様々な図書館を、視覚障害者の方が利用する場合は、図書館を利用するごとに、コンテンツが配信されるので、視覚障害者の方がしおりに該当する機能を利用できないことは、大変不便である。
【発明の開示】
【発明が解決しようとする課題】
【０００５】
上述した問題を鑑みて、本発明は、書籍などが電子化されたコンテンツを閲覧するときに、実際の書籍に挟んで使用するしおりの機能を電子的に利用できることで、ユーザ、取り分け、視覚障害者の方にとって利便性を高めたコンテンツ閲覧システムを提供することを目的とする。
【課題を解決するための手段】
【０００６】
上述した課題を解決する第１の発明は、ユーザが書籍などの内容が電子化されたコンテンツを閲覧するときに利用するコンテンツ閲覧システムであって、前記コンテンツ閲覧システムは、書籍などの内容を電子化したコンテンツを記憶するコンテンツデータベースと、前記コンテンツデータに記憶されたコンテンツをユーザに提供する閲覧端末とから、少なくも構成され、
前記閲覧端末は、ユーザが所持する情報記憶媒体とデータ通信する手段を備え、ユーザがコンテンツの閲覧を中断するときは、ユーザが閲覧しているコンテンツを示すコンテンツ識別情報と、ユーザがコンテンツを閲覧したところまでを示す閲覧情報とを含むしおり情報を前記情報記憶媒体に記憶し、
ユーザがコンテンツの回覧の閲覧を再開するときは、前記情報記憶媒体から前記しおり情報を読取り、前記しおり情報に含まれる前記コンテンツ識別情報で示されるコンテンツを前記コンテンツデータベースから取得し、前記閲覧情報で示されるところからコンテンツを再生する電子しおり手段を備えていることを特徴とする。
【０００７】
更に、第２の発明は、第１の発明に記載のコンテンツ閲覧システムにおいて、前記コンテンツデータベースに記憶されるコンテンツはマルチメディアデータであって、
前記閲覧端末は、マルチメディアデータに対応した複数のコンテンツ再生手段を備え、前記情報記憶媒体には、ユーザの身体的な状況を表す身体情報が記憶され、
前記閲覧端末は、コンテンツを再生するときに、前記情報記憶媒体から前記身体情報を読取り、前記身体情報に適合した前記コンテンツ再生手段を選択して、前記コンテンツデータベースから取得したコンテンツを再生することを特徴とする。
【０００８】
更に、第３の発明は、第２の発明に記載のコンテンツ閲覧システムであって、前記閲覧端末は前記コンテンツ再生手段として、少なくとも、コンテンツを音声で再生する音声再生手段を備えていることを特徴とする。
【０００９】
更に、第４の発明は、第１の発明から第３の発明のいずれかに記載のコンテンツ閲覧システムであって、前記閲覧端末は、ユーザがコンテンツの閲覧を中断するときに、ユーザによって操作される操作ボタンを備え、前記電子しおり手段は、前記操作ボタンが押されたときに、前記情報記憶媒体に前記しおり情報を記憶することを特徴とする。
【００１０】
更に、第５の発明は、第１の発明から第４の発明のいずれかに記載のコンテンツ閲覧システムであって、ユーザが所持する前記情報記憶媒体は非接触ＩＣカードであることを特徴とする。
【発明の効果】
【００１１】
上述した本発明によれば、実際の書籍に挟んで使用するしおりは、ユーザが所持する前記情報記憶媒体と、前記情報記憶媒体に記憶される前記しおり情報とで実現され、ユーザが、実際の書籍に挟んで使用するしおりの機能を電子的に利用できることで、ユーザ、取り分け、視覚障害者の方にとって利便性を高めたコンテンツ閲覧システムを提供することを目的とする。
【００１２】
更に、前記コンテンツデータベースに記憶されるコンテンツはマルチメディアデータとし、前記情報記憶媒体に前記身体情報を記憶することで、ユーザの身体状況に合わせた前記コンテンツ再生手段を用いて、ユーザにコンテンツを提供できる。
例えば、ユーザが視覚障害者の方であった場合には、前記音声再生手段を用いてコンテンツを再生することができる。
【００１３】
更に、ユーザが所持する前記情報記憶媒体を非接触ＩＣカードとしたり、前記閲覧端末に前記操作ボタンを備えることで、コンテンツ閲覧システムに備えらたしおりの機能の操作が簡単になり、高齢者の方や視覚障害者の方など目の不自由な方に対して利便性を高めることができる。
【発明を実施するための最良の形態】
【００１４】
ここから、本発明に係るコンテンツ閲覧システムを図書館に応用した実施の形態について、図を参照しながら詳細に説明する。
【００１５】
図１は、コンテンツ閲覧システムの構成を説明するための図である。図１に示したように、コンテンツ閲覧システムは、様々な書籍が電子化されたコンテンツを記憶し、ネットワーク４を介してコンテンツを配信するコンテンツＤＢ（Data Base）サーバ１と、コンテンツ閲覧システムのユーザ５が所持する非接触ＩＣカード３と無線でデータ通信するリーダライタ２２を備え、コンテンツＤＢサーバ１が配信するコンテンツを、音声やテキストなどの情報伝達手段でユーザ５に提供する閲覧端末２とから少なくとも構成される。
【００１６】
本発明に係るコンテンツ閲覧システムでは、ある書籍の内容はマルチメディアデータとして電子化され、ある書籍の内容を電子化したコンテンツは、音声やテキストなどの様々な情報伝達手段で再生することができる。
そして、コンテンツ閲覧システムは、ユーザ５の身体状況や閲覧状況に応じて、コンテンツの再生する内容を変えるインタラクティブ性を有している。
【００１７】
ユーザ５が所持する非接触ＩＣカード３には、少なくともユーザ５の身体状況を示す身体情報と、ユーザ５がコンテンツをどこまで閲覧したかを示すしおり情報とが記憶される。
ユーザ５がコンテンツを閲覧するときは、閲覧端末２は非接触ＩＣカード３に記憶された身体情報としおり情報を読取り、閲覧端末２は、しおり情報で示される箇所からコンテンツを再開し、身体情報から選択される情報伝達手段でコンテンツを再生する。
【００１８】
なお、図１において、コンテンツＤＢサーバ１に接続されている閲覧端末２の台数は１台のみであるが、実際には、複数の閲覧端末２がコンテンツＤＢサーバ１には接続される。更に、本発明は閲覧端末２が設置されている場所を問うものではなく、閲覧端末２は図書館の建物内に設置されていてもよく、ユーザ５の自宅に設置されていてもよい。
【００１９】
加えて、本実施の形態では、ユーザ５の身体情報としおり情報を記憶する情報記憶媒体を非接触ＩＣカード３としているのは、視覚障害者の方の操作性を考慮しているためである。無線でデータ通信する通信インターフェースを備えた非接触ＩＣカード３は、リーダライタ２２上に載せるだけで動作し、カードをリーダライタに挿入する必要がなく、高齢者の方も含め視覚障害者の方に対して利便性が高められる。
【００２０】
なお、本発明は、何ら、身体情報としおり情報を記憶する情報記憶媒体の種類を問うものではなく、閲覧端末２が対応していれば、いかなる情報記憶媒体（例えば、接触ＩＣカード、ＵＳＢメモリー）を使用することができる。
【００２１】
図２は、図１で示したコンテンツ閲覧システムのブロック図である。上述しているように、ユーザ５が所持する非接触ＩＣカード３には、ユーザ５の身体状況を示す身体情報３１としおり情報３０とが、少なくとも記憶されている。
【００２２】
非接触ＩＣカード３に記憶される身体情報３１とは、ユーザの身体状況（例えば、高齢者の方、視覚障害者の方）などを示す情報が記憶され、この情報はコンテンツ再生手段２０がコンテンツ１２０を再生する手段を選択するときに利用される。
なお、非接触ＩＣカード３に記憶される身体情報３１は、コンテンツ１２０を再生するときに、ユーザが希望する再生手段を示す情報であってもよい。
【００２３】
また、非接触ＩＣカード３に記憶されるしおり情報には、ユーザが閲覧するコンテンツ１２０を特定するための情報であるコンテンツ識別情報（例えば、書籍に付加されているコード）と、ユーザがコンテンツ１２０を閲覧したところまでを示す閲覧情報（例えば、ページ・行数など）が、少なくとも含まれる。
【００２４】
コンテンツＤＢサーバ１には、様々な書籍が電子化されたコンテンツ１２０が、音声・テキストなどの様々な情報伝達手段で再生可能なマルチメディアデータとして記憶されるコンテンツＤＢ１２と、コンテンツＤＢ１２に記憶されたコンテンツ１２０を検索するコンテンツ検索手段１０と、図書館の業務全般を管理する業務管理手段１１とを備えている。
【００２５】
コンテンツＤＢサーバ１のコンテンツＤＢ１２には、書籍の内容が電子化された複数のコンテンツ１２０がマルチメディアデータとして記憶され、ある書籍の内容を電子化した一つのコンテンツ１２０は、コンテンツ１２０を音声で再生するときに使用する音声データ１２０ａ、コンテンツ１２０を文字で再生するときに使用するテキストデータ１２０ｂ、および、コンテンツ１２０を点字で再生するときに使用する点字データ１２０ｃを備えている。
【００２６】
コンテンツＤＢサーバ１の業務管理手段１１は、コンテンツＤＢ１２にコンテンツ１２０を登録する機能、コンテンツＤＢ１２に記憶されているコンテンツ１２０の目録を配信する機能、コンテンツ検索手段１０を利用してユーザ５に提供するコンテンツ１２０を検索し、検索したコンテンツ１２０を閲覧端末２に配信する機能、など、図書館の業務全般の機能を実現する手段である。
【００２７】
コンテンツＤＢサーバ１のコンテンツ検索手段１０は、業務管理手段１１の指示に従い、コンテンツＤＢ１２に記憶されたコンテンツ１２０の中から、ユーザ５に配信するコンテンツ１２０を検索する手段である。
【００２８】
業務管理手段１１がコンテンツ検索手段１０にコンテンツ１２０の検索要求するときは、コンテンツ管理手段からコンテンツ検索手段１０に、コンテンツ１２０を特定するためのコンテンツ識別情報が引渡され、コンテンツ検索手段１０は、引渡されたコンテンツ識別情報に対応するコンテンツ１２０を検索し、業務管理手段１１に受け渡す。
【００２９】
なお、コンテンツＤＢサーバ１に備えられたコンテンツ検索手段１０と業務管理手段１１は、コンテンツＤＢサーバ１に備えられたメモリやネットワーク通信機器などのハードウェア資源を利用したコンピュータプログラムで実現され、コンテンツＤＢ１２はハードディスクなどの情報記憶装置を利用して実現されている。
【００３０】
閲覧端末２は、コンテンツＤＢサーバ１からコンテンツを取得するコンテンツ取得手段２１と、コンテンツＤＢサーバ１が配信したコンテンツ１２０を再生する手段であるコンテンツ再生手段２０とを備え、更に、閲覧端末２にはユーザ５が所持する非接触ＩＣカード３とデータ通信するリーダライタ２２と、操作ボタン２３が接続されている。
【００３１】
コンテンツ取得手段２１は、例えば、インターネット上で公開されているＷｅｂページを閲覧するためのブラウザなどのプログラムを利用して実現され、ユーザ５から閲覧を希望するコンテンツ１２０の配信をコンテンツＤＢサーバ１に要求する。
【００３２】
コンテンツ取得手段２１は、業務管理手段１１から取得したコンテンツ１２０の目録の中からユーザ５が選択したコンテンツ１２０、もしくは、非接触ＩＣカード３からしおり情報３０を読み出すことで、ユーザ５が閲覧を希望するコンテンツ１２０を特定する。
【００３３】
コンテンツ取得手段２１は、ユーザ５の閲覧を希望するコンテンツ１２０を特定すると、ユーザ５が閲覧を希望するコンテンツ１２０のコンテンツ識別情報を、コンテンツＤＢサーバ１の業務管理手段１１に送信し、コンテンツＤＢサーバ１の業務管理手段１１からユーザ５が閲覧を希望するコンテンツ１２０を取得する。
【００３４】
コンテンツ再生手段２０は、コンテンツ取得手段２１が取得したコンテンツ１２０を再生する手段で、本実施の形態において、コンテンツ再生手段２０は、コンテンツ１２０を再生する手段として、音声でコンテンツ１２０を再生する音声再生部２０ａ、テキストを表示することでコンテンツ１２０を再生するテキスト表示部２０ｂ、および、点字でコンテンツ１２０を再生する点字打刻部２０ｃの３つの手段を備えている。
【００３５】
音声再生部２０ａは閲覧端末２に組み込まれる音声再生のアプリケーションで、テキスト表示部２０ｂは閲覧端末２に組み込まれるテキストを表示するアプリケーションで、点字打刻部２０ｃは、図示していない点字プリンターに点字を印字するアプリケーションで、それぞれ実現される。
【００３６】
コンテンツ再生手段２０がコンテンツ１２０を再生するときは、非接触ＩＣカード３から読み出した身体情報３１に適した再生手段を選択し、コンテンツ取得手段２１が取得したコンテンツ１２０を再生する。
【００３７】
例えば、非接触ＩＣカード３から読み出した身体情報３１が、重度の視覚障害者の方であることを示す情報である場合は、音声再生部２０ａもしくは点字打刻部２０ｃのいずれかの手段で再生する。
また、非接触ＩＣカード３から読み出した身体情報３１が、軽度の視覚障害者の方であることを示す情報である場合は、テキスト表示部２０ｂでテキストを拡大して表示する。
【００３８】
加えて、コンテンツ再生手段２０は、ユーザ５が閲覧しているコンテンツ１２０のしおりを電子的に実現する電子しおり部２０ｄを備え、電子しおり部２０ｄとは、書籍に挟んで使用されるしおりの機能を電子的に実現する手段である。
【００３９】
電子しおり部２０ｄは、閲覧端末２に接続されている操作ボタン２３が押されたときに、コンテンツ再生手段２０が再生しているコンテンツ１２０のコンテンツ識別情報と、コンテンツ１２０を再生している箇所を示す閲覧情報とを、少なくとも含むしおり情報を３０非接触ＩＣカード３に記憶する。
【００４０】
そして、ユーザ５がコンテンツ１２０の閲覧を希望するときは、非接触ＩＣカード３からしおり情報３０を読出し、しおり情報３０のコンテンツ識別情報で示されるコンテンツ１２０を、しおり情報３０の閲覧情報で示される箇所から再生する。
【００４１】
ここから、図１で示したコンテンツ閲覧システムの動作を詳細に説明するために、コンテンツ１２０を再生する手順について、図を参照しながら詳細に説明する。図３は、コンテンツ１２０を再生するフローを示したシーケンス図である。
【００４２】
このフローの最初の手順Ｔ１では、非接触ＩＣカード３が閲覧端末２にセットされる。ユーザ５は、ユーザ５が所持する非接触ＩＣカード３を、閲覧端末２に接続されたリーダライタ２２の上に置くことで、非接触ＩＣカード３が閲覧端末２にセットされる。
【００４３】
非接触ＩＣカード３がリーダライタ２２の上に置かれると、リーダライタ２２は所定の手順で非接触ＩＣカード３を活性化し、リーダライタ２２と非接触ＩＣカード３間のデータ通信が可能となる。
【００４４】
次の手順Ｔ２では、非接触ＩＣカード３に記憶された身体情報３１およびしおり情報３０が読み出される。閲覧端末２のコンテンツ取得手段２０は、リーダライタ２２を用いて、非接触ＩＣカード３からデータを読み出すコマンドを送信し、非接触ＩＣカード３から身体情報３１およびしおり情報３０を読み出す。
【００４５】
次の手順Ｔ３では、閲覧端末２は、コンテンツ１２０の配信をコンテンツＤＢサーバ１に要求する。非接触ＩＣカード３から読み出したしおり情報３０に含まれるコンテンツ識別情報に対応するコンテンツ１２０を、閲覧端末２はコンテンツＤＢサーバ１の業務管理手段１１に要求する。
【００４６】
次の手順Ｔ４では、コンテンツＤＢサーバ１は、配信要求のあったコンテンツ１２０を検索する。コンテンツＤＢサーバ１の業務管理手段１１が、閲覧端末２からコンテンツ識別情報を受信し、コンテンツ検索手段１０は、コンテンツ識別情報に対応するコンテンツ１２０をコンテンツＤＢ１２の中から検索する。
【００４７】
次の手順Ｔ５では、コンテンツ検索手段１０が検索したコンテンツ１２０は、コンテンツＤＢサーバ１の業務管理手段１１によって閲覧端末２へ配信される。
【００４８】
次の手順Ｔ６では、閲覧端末２のコンテンツ再生手段２０は、配信されたコンテンツ１２０を再生の準備を行う。閲覧端末２のコンテンツ再生手段２０は、手順Ｔ２で読み出し身体情報３１に対応する再生手段（例えば、音声再生部２０ａ）を起動させ、コンテンツ１２０の再生を準備する。
【００４９】
次の手順Ｔ７では、コンテンツ１２０が再生される。閲覧端末２のコンテンツ再生手段２０は、手順Ｔ２で非接触ＩＣカード３から読み出したしおり情報３０の閲覧情報で示される箇所から、コンテンツ１２０を再生する。
【００５０】
次の手順Ｔ８では、再生されたコンテンツ１２０は、ユーザ５によって閲覧される。
【００５１】
次の手順Ｔ９では、操作ボタン２３がユーザによって押される。ユーザ５がコンテンツ１２０の閲覧を終了したいときに、ユーザ５は閲覧端末２に接続された操作ボタン２３を押す。
【００５２】
次の手順Ｔ１０では、コンテンツ１２０の再生が終了する。閲覧端末２のコンテンツ再生手段２０は、操作ボタン２３がユーザ５によって押されると、コンテンツ１２０の再生を終了する。
【００５３】
手順Ｔ１０が実行された後、ユーザ５がコンテンツ１２０を完読しているときは、手順１２に進み、ユーザ５がコンテンツ１２０を未完読であるときは、手順Ｔ１１に進む。
【００５４】
手順Ｔ１１では、非接触ＩＣカード３にしおり情報３０が記憶される。コンテンツ再生手段２０の電子しおり部２０ｄは、既に上述しているしおり情報３０を非接触ＩＣカード３に記憶する。
【００５５】
手順Ｔ１２では、閲覧端末２は、所定の処理が終了すると、ユーザ５に音声などでコンテンツの閲覧が終了したことを知らせ、ユーザ５が閲覧端末２から非接触ＩＣカード３イジェクトすることで、コンテンツを再生する手順は終了する。
【図面の簡単な説明】
【００５６】
【図１】コンテンツ閲覧システムの構成を説明するための図。
【図２】コンテンツ閲覧システムのブロック図。
【図３】コンテンツを再生するフローを示したシーケンス図。
【符号の説明】
【００５７】
１  コンテンツＤＢサーバ
１０  コンテンツ検索手段
１１  業務管理手段
１２  コンテンツＤＢ
１２０  コンテンツ
２  閲覧端末
２０  コンテンツ再生手段
２０ａ  音声再生部
２０ｄ  電子しおり部
２１  コンテンツ取得手段
３  非接触ＩＣカード
３０  しおり情報
３１  身体情報
【図１】
2007148603.tif 000003
【図２】
2007148603.tif 000004
【図３】
2007148603.tif 000005